(57)【要約】【課題】  画像表示装置内に位置調整手段を設けなくても光学系の調整を行うことを可能にする画像表示装置の製造方法及び画像表示装置の調整方法、並びに装置内に位置調整手段を設けなくても光学系の調整を行うことができ、従来よりも簡素な構成の画像表示装置を提供する。【解決手段】  複数の光源１Ｒ，１Ｇ，１Ｂと光合成手段５とを配置した後に、複数の光源１Ｒ，１Ｇ，１Ｂから光を発生させて、光合成手段５を通してそれぞれ得られる各光源からの光学像の相対位置を合わせるように、各光源１Ｒ，１Ｇ，１Ｂと光合成手段５との間の光学部品３Ｒ，３Ｇ，３Ｂの位置を調整する。また、複数の光源の各光源に対応する１次元表示素子及びプリズムと光合成手段とが一体化された部品を構成している画像表示装置を構成する。【選択図】  図５  
2005173389.tif 000002
【特許請求の範囲】
【請求項１】
複数の光源と、前記複数の光源から出射したそれぞれの光を合成する光合成手段とを具備し、前記光合成手段により合成した光を画像表示部に表示する画像表示装置を製造する方法であって、
前記複数の光源と、前記光合成手段とを配置した後に、
前記複数の光源から光を発生させて、前記光合成手段を通してそれぞれ得られる各光源からの光学像の相対位置を合わせるように、各光源と前記光合成手段との間の光学部品の位置を調整する工程を行う
ことを特徴とする画像表示装置の製造方法。
【請求項２】
前記画像表示装置は、各光源と前記光合成手段との間の光学部品として、１次元表示素子とプリズムとが用いられて構成され、前記光学部品の位置を調整する工程において、前記１次元表示素子及び前記プリズムの相対位置を調整することを特徴とする請求項１に記載の画像表示装置の製造方法。
【請求項３】
前記１次元表示素子及び前記プリズムの相対位置を調整した後に、前記１次元表示素子及び前記プリズムを固定することを特徴とする請求項２に記載の画像表示装置の製造方法。
【請求項４】
前記画像表示装置は、前記１次元表示素子と前記プリズムが一体化された部品とされていることを特徴とする請求項２に記載の画像表示装置の製造方法。
【請求項５】
複数の光源と、前記複数の光源から出射したそれぞれの光を合成する光合成手段とを具備し、前記光合成手段により合成した光を画像表示部に表示する画像表示装置において、
前記複数の光源から光を発生させて、前記光合成手段を通してそれぞれ得られる各光源からの光学像の相対位置を合わせるように、各光源と前記光合成手段との間の光学部品の位置を調整する
ことを特徴とする画像表示装置の調整方法。
【請求項６】
前記画像表示装置は、各光源と前記光合成手段との間の光学部品として、１次元表示素子とプリズムとが用いられて構成され、前記光学部品の位置を調整する際において、前記１次元表示素子及び前記プリズムの相対位置を調整することを特徴とする請求項５に記載の画像表示装置の調整方法。
【請求項７】
前記１次元表示素子及び前記プリズムの相対位置を調整した後に、前記１次元表示素子及び前記プリズムを固定することを特徴とする請求項６に記載の画像表示装置の調整方法。
【請求項８】
前記画像表示装置は、前記１次元表示素子と前記プリズムが一体化された部品とされていることを特徴とする請求項６に記載の画像表示装置の調整方法。
【請求項９】
複数の光源と、
前記複数の光源から出射したそれぞれの光を合成する光合成手段とを具備し、
前記光合成手段により合成した光を画像表示部に表示する画像表示装置であって
それぞれの前記光源と前記光合成手段との間に、１次元表示素子とプリズムとが配置され、
それぞれの前記光源に対応する前記１次元表示素子及び前記プリズムと、前記光合成手段とが、一体化された部品を構成している
ことを特徴とする画像表示装置。
【発明の詳細な説明】
【技術分野】
【０００１】
本発明は、プロジェクタ等の画像表示装置の製造方法及び画像表示装置の調整方法、並びに画像表示装置に係わる。
【背景技術】
【０００２】
プロジェクタ等の各種画像表示装置において、画像の解像度を上げる方法として、１次元空間変調型構成の画像表示用光変調素子からの光束を光走査手段で走査しながら画像形成手段に投影し、２次元画像を形成する方法が知られている（例えば特許文献１参照。）。
【０００３】
この１次元空間変調型の光変調素子として、米国シリコン・ライト・マシン（ＳＬＭ）社が開発したＧＬＶ（Grating Light Valve）が知られている(例えば特許文献２及び３参照。)。
【０００４】
このＧＬＶは、光の回折を利用した位相反射型の回折格子より構成される。ＧＬＶの一例としては、例えば図１１に示すように、６本のストリップ状のリボン素子が例えば３本ずつの可動リボンより成る第１面３０ａと固定リボンより成る第２面３０ｂとにより構成され、これら第１面及び第２面３０ａ及び３０ｂが交互に配置されて構成される。
【０００５】
このような構成のＧＬＶに対し、基板(図示せず)側の共通電極３３と第１面３０ａ（可動リボン）との間に適切な電圧を印加することによって、第１面３０ａが適切量基板側に移動して変形し、即ち相対的に移動することにより入射光に対する回折格子が構成される。
【０００６】
このＧＬＶにおける第１面３０ａの動作は、その幅及び長さがそれぞれ例えば２５μｍ、２００μｍ程度と微小なサイズであるため、高速なスイッチング動作が可能であるという利点を有する。さらにまた広い帯域幅の表示、すなわち可動リボンの動作距離に対応して回折光の反射率を変化させ、光量の変化の高い変調度が実現できることから、高い解像度で、低い動作電圧及び小型の画像表示装置を提供することが可能である。
【０００７】
【特許文献１】米国特許第５９８２５５３号
【特許文献２】米国特許第３１６４８２４号
【特許文献３】米国特許第５９４１５７９号
【発明の開示】
【発明が解決しようとする課題】
【０００８】
従来、上述したＧＬＶ型の光変調素子を用いた画像表示装置では、画像表示装置内に光変調素子の位置調整手段を備えており、この位置調整手段を用いて、光学系の調整、例えば、光変調素子とプリズム等の光学部品との位置関係の調整を行っていた。
【０００９】
しかしながら、カラー表示を行う画像表示装置のように、光源を複数有する場合には、各光源に対してそれぞれ光変調素子が必要になるため、位置調整手段をそれぞれの光変調素子に備えることになり、画像表示装置の構成が複雑になってしまう。
【００１０】
上述した問題の解決のために、本発明においては、画像表示装置内に位置調整手段を設けなくても光学系の調整を行うことを可能にする画像表示装置の製造方法及び画像表示装置の調整方法、並びに装置内に位置調整手段を設けなくても光学系の調整を行うことができ、従来よりも簡素な構成の画像表示装置を提供するものである。
【課題を解決するための手段】
【００１１】
本発明の画像表示装置の製造方法は、複数の光源と、これら複数の光源から出射したそれぞれの光を合成する光合成手段とを具備し、光合成手段により合成した光を画像表示部に表示する画像表示装置を製造する際に、複数の光源と光合成手段とを配置した後に、複数の光源から光を発生させて、光合成手段を通してそれぞれ得られる各光源からの光学像の相対位置を合わせるように、各光源と光合成手段との間の光学部品の位置を調整する工程を行うものである。
【００１２】
本発明の画像表示装置の調整方法は、複数の光源と、これら複数の光源から出射したそれぞれの光を合成する光合成手段とを具備し、前記光合成手段により合成した光を画像表示部に表示する画像表示装置において、複数の光源から光を発生させて、光合成手段を通してそれぞれ得られる各光源からの光学像の相対位置を合わせるように、各光源と光合成手段との間の光学部品の位置を調整するものである。
【００１３】
また、上記本発明の画像表示装置の製造方法及び画像表示装置の調整方法において、画像表示装置が各光源と光合成手段との間の光学部品として、１次元表示素子とプリズムとが用いられて構成され、光学部品の位置を調整する際に、１次元表示素子及びプリズムの相対位置を調整することも可能である。
上記本発明の画像表示装置の製造方法及び画像表示装置の調整方法において、さらに、１次元表示素子及びプリズムの相対位置を調整した後に、１次元表示素子及びプリズムを固定することも可能である。
上記本発明の画像表示装置の製造方法及び画像表示装置の調整方法において、さらに、画像表示装置が１次元表示素子とプリズムとが一体化された部品とされた構成とすることも可能である。
【００１４】
本発明の画像表示装置は、複数の光源と、これら複数の光源から出射したそれぞれの光を合成する光合成手段とを具備し、この光合成手段により合成した光を画像表示部に表示する画像表示装置であって、それぞれの光源と光合成手段との間に、１次元表示素子とプリズムとが配置され、それぞれの光源に対応する１次元表示素子及びプリズムと、光合成手段とが、一体化された部品を構成しているものである。
【００１５】
上述の本発明の画像表示装置の製造方法によれば、複数の光源と光合成手段とを配置した後に、複数の光源から光を発生させて、光合成手段を通してそれぞれ得られる各光源からの光学像の相対位置を合わせるように、各光源と光合成手段との間の光学部品の位置を調整する工程を行うことにより、画像表示装置内に光学部品の位置を調整する機構を備えていなくても、画像表示装置外に設けられた光学部品の位置を調整する手段を用いて、光学像を観察しながら各光源と光合成手段との間の光学部品の位置を調整することが可能になる。
【００１６】
上述の本発明の画像表示装置の調整方法によれば、複数の光源から光を発生させて、光合成手段を通してそれぞれ得られる各光源からの光学像の相対位置を合わせるように、各光源と光合成手段との間の光学部品の位置を調整することにより、画像表示装置内に光学部品の位置を調整する機構を備えていなくても、画像表示装置外に設けられた光学部品の位置を調整する手段を用いて、光学像を観察しながら各光源と光合成手段との間の光学部品の位置を調整することが可能になる。
【００１７】
また、上記本発明の画像表示装置の製造方法及び画像表示装置の調整方法において、画像表示装置が各光源と光合成手段との間の光学部品として、１次元表示素子とプリズムとが用いられて構成され、光学部品の位置を調整する際に、１次元表示素子及びプリズムの相対位置を調整するようにしたときには、各光源からの光学像として、各光源に対応する１次元表示素子による１次元投影像を観察して、１次元投影像の相対位置を合わせるように、１次元表示素子及びプリズムの相対位置を調整することが可能になる。
さらに、１次元表示素子及びプリズムの相対位置を調整した後に、１次元表示素子及びプリズムを固定するようにしたときには、相対位置が調整された１次元表示素子及びプリズムの位置関係がずれることなく維持されるようになる。
さらに、画像表示装置が１次元表示素子とプリズムとが一体化された部品とされた構成としたときには、これらが別々の部品である構成よりも、１次元表示素子及びプリズムの相対位置の調整を簡略化することができる。
【００１８】
上述の本発明の画像表示装置の構成によれば、それぞれの光源と光合成手段との間に、１次元表示素子とプリズムとが配置され、それぞれの光源に対応する１次元表示素子及びプリズムと、光合成手段とが、一体化された部品を構成していることにより、これらが別々の部品である構成よりも位置調整を簡略化することができる。
また、画像表示装置外に設けられた、光学部品の位置を調整する手段を使用して、１次元表示素子等の位置を調整することが可能である。
【発明の効果】
【００１９】
上述の本発明の画像表示装置の製造方法や本発明の画像表示装置の調整方法によれば、画像表示装置外に設けられた光学部品の位置を調整する手段を用いて、光学像を観察しながら各光源と光合成手段との間の光学部品の位置を調整することが可能になるため、画像表示装置内に光学部品の位置調整機構を備えている必要がなくなる。
これにより、画像表示装置の構成を簡略化することが可能になり、また、製造や調整される各々の画像表示装置において、光学部品の配置に互換性をもたせることが可能になる。
【００２０】
上述の本発明の画像表示装置の構成によれば、光学部品の調整を簡略化することができるため、画像表示装置を製造する際において、例えば１次元表示素子の位置を調整した後に、１次元表示素子及びプリズムと光合成手段とを組み立てて一体化し、調整済みの一体化された部品を画像表示装置に組み込むことによって、容易に光学部品の配置の構成及び画像表示装置の組み立てを行うことができる。
また、画像表示装置外に設けられた、光学部品の位置を調整する手段を使用して、１次元表示素子等の位置を調整することが可能であるため、これにより従来画像表示装置内にあった光学部品の位置調整機構を省略して、画像表示装置の構成を簡略化して、従来よりも簡素な構成の画像表示装置とすることが可能になる。
【発明を実施するための最良の形態】
【００２１】
まず、本発明を適用する画像表示装置の一形態の概略構成図（斜視図）を図１に示す。
この画像表示装置は、複数の光源から出射した光を合成する色合成機構として、Ｌ字型プリズムを用いている。
この図１に示す構成部は、画像表示装置の光学エンジンと呼ばれる部分であり、ビーム整形部を備えた例えば赤色レーザ光源、緑色レーザ光源、青色レーザ光源より成る光源１Ｒ、１Ｇ及び１Ｂを備えている。
【００２２】
これら各色の光源に対応して、１次元空間変調型の光変調素子、例えば第１面及び第２面の相対的移動により回折格子構造を変化させて光変調を行うＧＬＶ等より成る光変調素子３Ｒ、３Ｇ及び３Ｂを配置する。
【００２３】
そして、これら各光変調素子３Ｒ、３Ｇ及び３Ｂへ整形された照明光を入射し、且つ変調された光をＬ字型プリズム５へ導くために、三角プリズム２Ｒ、２Ｇ及び２Ｂを各光変調素子３Ｒ、３Ｇ及び３Ｂの変調光入出射面に対向して配置する。
【００２４】
図１の三角プリズム２（２Ｒ、２Ｇ及び２Ｂ）の断面構成を、模式的に図２に示す。
この画像表示装置においては、図２に示すように、断面三角形の頂角を挟む２面を第１及び第２の反射面２ａ及び２ｂとし、この頂角を、例えば矢印Ｌで示す入射光が第１の反射面２ａで反射されて光変調素子３の光変調面に入射して、この入射方向に対し例えばその回折光である変調光が、矢印Ｌ’で示すように角度θをもって出射され、第２の反射面２ｂにおいて反射されて、光源からの光の入射方向とほぼ同一の方向に変調光が出射されるようにする。図２において、三角プリズム２の頂角から光変調素子３の表面への垂線を一点鎖線ｃで示す。
【００２５】
例えば光変調素子３として上述のＧＬＶを用いる場合は、入射光と反射回折光との成す角度θが例えば１２°程度と比較的小さいが、このような三角プリズム２を用いることによって、容易に入射光の入射角度及び光変調後の出射角度を調整することができる。
【００２６】
一方色合成機構４として設けるＬ字型プリズム５は、２つの波長選択膜面５ａ及び５ｂを有しており、一の波長選択膜面５ａは、この場合光源１Ｂの光出射方向の延長位置に設けられ、例えば緑色光を透過、青色光を反射する。
もう一方の波長選択膜面５ｂは、赤色光を反射し、緑色光、青色光を透過する。
【００２７】
色合成機構４において合成された光は、オフナー主鏡９、副鏡１０によって集光され折り返しミラー１１で方向を整え、１次元の中間像を形成する。この１次元中間像は投射レンズ１２によって拡大投影され、投射レンズのほぼ瞳の位置に設けられたガルバノ１３、ガルバノミラー１４によってスキャンされ、投影方向を調整するための折り返しミラー１５により反射されて２次元像を投影する。なお、Ｌ字型プリズム５、三角プリズム２Ｒ、２Ｇ及び２Ｂは機械的に固定され、更に光変調素子３Ｒ、３Ｇ及び３Ｂもそれぞれ位置調整を行い固定されることで、色合成機構４が構成される。
【００２８】
上述したように、光変調素子としてＧＬＶ等の回折格子型素子を用いる場合において特に、その照明光入射及び反射光の成す角度は例えば約１２°と狭く限られた範囲で使うことを前提としており、そのままではＬ字型プリズムと組み合わせて色合成系を成り立たせるのが難しかったが、上述したように、適切な反射角度を有する２つの反射面を有する三角プリズムを用いることにより、色合成機構４との組合せを簡易化することができ、各波長の照明光学系の配置位置を直交化することや、色合成機構４としてＬ字型プリズムを用いることにより、そのユニット化を行うことができる。
【００２９】
次に、本発明を適用する画像表示装置の他の形態の概略構成図を図３に示す。図３は、画像表示装置の光学エンジンと呼ばれる光学系の要部の平面図を示している。
この画像表示装置では、図３に示すように、図１に示した形態と同様に、色合成機構４としてＬ字型プリズム５を用いているが、このＬ字型プリズム５に２つの波長選択膜面５ａ及び５ｂに加え、図４にその概略平面図を示すように、例えば赤色光に対する偏光合成面５ｃを有している。
また、例えば赤色光用に２組の三角プリズム２Ｒ１及び２Ｒ２、光変調素子３Ｒ１及び３Ｒ２を備えている。
ここで、三角プリズム２Ｒ１に入射される赤色光はＰ偏光、三角プリズム２Ｒ２に入射される赤外光はＳ偏光となっているとすると、偏光合成面５ｃを、Ｐ偏光を透過しＳ偏光を反射する特性をもつように選定すれば、図３に示すように、同色で偏光合成を行うことができる。
【００３０】
このような構成とすることにより、以下の利点が得られる。
例えば赤色光等の視感度の低い波長の光を他の波長の光に対し２倍程度に高い出力としてカラーバランスを良好にする場合は、この視感度の低い波長の光変調素子に照射する強度を他の波長の光変調素子に対し高くして、即ち例えば赤色光のみ２倍の出力とする必要があり、赤色光用の光変調素子、例えばＧＬＶの表面が光損傷により他の波長用の光変調素子よりも早く劣化してしまうという問題がある。
【００３１】
これに対し上述の構成とすることにより、各光変調素子への光出力を同程度とすることができ、これにより光損傷耐性のばらつきを生じることなく、各色光の高出力化を図ることができ、高輝度の画像表示装置を達成することができる。尚、図３に示す装置においては、図１におけるオフナー主鏡９に導くために、折り返し用のミラー１７を設けている。
【００３２】
図１及び図３に示した画像表示装置の各形態によれば、波長の異なるレーザ光源と１次元空間変調素子を用いた画像表示装置の色合成機構をユニット化することができ、商品の信頼性、組み立て性、修理等のサービス性を向上させることができる。
また、光学系の配置に自由度が高くなることにより、調整が容易なレイアウトを実現することができる。
【００３３】
さらに、光変調素子３に対してそれぞれ三角プリズム２を設けたことにより、光学系の直交化が可能となることから、色合成機構としてＬ字型プリズム５を用いることが可能となり、信頼性の向上、コストの低減化を図ることができる。
【００３４】
従来からある、ダイクロックミラーを用いて３色の光源からの光を合成する構成の画像表示装置では、ダイクロックミラーにそれぞれ調整機構が付属していたため、その分画像表示装置が大きくなっていた。
これに対して、図１及び図３に示した画像表示装置の各形態によれば、Ｌ字型プリズム５を用いて色合成機構をユニット化したので、色合成機構としてダイクロックミラーを用いた構成と比較して、画像表示装置を小型化することができる。また、色合成機構自体の配置調整が不要となるため、各光学部品の配置調整の簡易化を図ることができる。
【００３５】
続いて、本発明の一実施の形態として、本発明の画像表示装置の製造方法を、図１に示した構成の画像表示装置に適用した場合について説明する。
【００３６】
本実施の形態では、図１に示した画像表示装置を製造する際の、光変調素子３の位置を調整する工程に特徴を有している。
そして、この調整工程においては、図５に示すように、図１に示した画像表示装置のうち、光源１Ｒ，１Ｇ，１Ｂから投射レンズ１２までの各部品を使用する。
なお、この調整工程において、ガルバノミラー１４及びミラー１５は、使用する必要がない。従って、これらガルバノミラー１４及びミラー１５は、調整工程の後で取り付けるようにしてもよい。
【００３７】
まず、図５に示す各部品を仮配置する。
次に、各光源１Ｒ，１Ｇ，１Ｂから照明光（レーザ光）を発生させて、投影レンズ１２から投影される１次元投影像を観察する。この１次元投影像の観察は、１次元投影像をスクリーンやその他の結像表示可能な部材を使用して行えばよい。
【００３８】
そして、光学系の部品の位置を調整する手段を用いて、例えば、三角プリズム２と光変調素子３との位置関係を調整して、各光源１Ｒ，１Ｇ，１Ｂからの照明光に対応する、それぞれの１次元投影像のずれをなくすように調整する。
【００３９】
これにより、例えば、図６Ａに示すように３色の１次元投影像Ｒ，Ｇ，Ｂが縦横に位置がずれていて１次元投射像の高さＨ０及び幅Ｗ０が大きい状態から、図６Ｂに示すように３色の１次元投影像Ｒ，Ｇ，Ｂが一致して１次元投射像の高さＨ１及び幅Ｗ１が小さい所定の状態になるように調整する。図６Ｂでは、各１次元投影像Ｒ，Ｇ，Ｂの長手方向の位置が合うことにより、１次元投射像の高さＨ１が小さくなっている。
上述のように調整を行うためには、光学系の部品の位置調整手段、例えば、光変調素子３の位置調整を行う治具を使用する。
【００４０】
ここで、光変調素子３の位置調整を行う治具の一形態の斜視図を図７Ａに示す。
図７Ａに示す治具（位置調整装置）１００は、光変調素子３を固定して保持する部分１０１と、図中６つの矢印で示す平行移動及び回転駆動を可能にする構成とを有している。
これにより、図７Ｂに位置調整の態様を模式的に示すように、光変調素子３を、三角プリズム２に対して、Ｘ、Ｙ，Ｚの各軸方向に平行移動させたり、Ｘ−ｒｏｔａｔｉｏｎ，Ｙ−ｒｏｔａｔｉｏｎ，Ｚ−ｒｏｔａｔｉｏｎの各軸の周囲に回転させたりすることができる。
【００４１】
図７Ａに示す位置調整装置１００は、画像表示装置内に設けるのではなく、画像表示装置の製造が行われる、製造装置や台に設ける。例えば、位置調整装置１００の底面板１０２を、製造装置や台に固定すればよい。
そして、画像表示装置が有する光変調素子３の個数に対応して、同数の位置調整装置１００を設ける。
これにより、画像表示装置内に光変調素子３の位置調整機構を設ける必要がなくなるため、画像表示装置の構成を簡略化することができる。
【００４２】
なお、光変調素子の位置調整を行う治具の形態は、図７Ａに示した位置調整装置１００に限定されるものではなく、その他の構成も可能である。
いずれの構成とした場合でも、画像表示装置内に治具を設けるのではなく、画像表示装置の外部、例えば、画像表示装置の製造が行われる、製造装置や台に治具を設けることが望ましい。
【００４３】
上述したように位置調整を行って、１次元投影像が充分に一致した状態とした後に、光学系の各部品を固定する。これにより、調整済みの各部品の正しい位置関係を維持して、位置関係がずれないようにする。
【００４４】
上述したように、画像表示装置外に設けられた治具を使用して、１次元投影像Ｒ，Ｇ，Ｂを観察しながら、各光源からの１次元投影像Ｒ，Ｇ，Ｂが一致するように、光学系の部品の位置関係の調整、例えば三角プリズム２に対する光変調素子３の位置関係の調整を行うことにより、画像表示装置内に位置調整機構を設けなくても、光学系の部品の位置関係を調整することが可能になる。
従って、画像表示装置内に位置調整機構を設ける必要がなくなるため、画像表示装置の構成を簡略化することができる。
【００４５】
また、画像表示装置外に設けられた治具を使用して光学部品の位置調整を行うことにより、治具に目盛等の基準を備えておけば、この治具を画像表示装置の調整専用の装置とし使用して、製造や調整される各々の画像表示装置において、光学部品の配置に互換性をもたせることが可能になる。
【００４６】
上述した実施の形態の説明では、本発明の画像表示装置の製造方法を図１に示した画像表示装置に適用した場合であったが、同様に、本発明の画像表示装置の調整方法を図１に示した画像表示装置に適用して、画像表示装置の製品の調整（完成品の出荷前の調整や、使用開始後の調整等）を行うことも可能である。
本発明の画像表示装置の調整方法を図１に示した画像表示装置に適用する場合にも、同様に、各光源１Ｒ，１Ｇ，１Ｂから照明光を（レーザ光）を発生させて、投影レンズ１２から投影される１次元投影像を観察しながら、１次元投射像を合わせるように、光学系の部品の位置調整を行う。
このとき、ガルバノミラー１４やミラー１５を外すことができない場合は、ガルバノミラー１４の回転を停止して、１次元投射像が走査されない状態で、１次元投射像を観察しながら部品の位置調整を行う。
【００４７】
なお、画像表示装置の製品を調整する場合には、製造時に光学系の配置がいったん行われているので、各部品を仮配置する工程は省略される。
また、画像表示装置を製造する場合と、画像表示装置の製品を調整する場合とでは、それぞれの場合に適した、光学系の部品の位置調整を行う治具の構成が異なることもある。
【００４８】
上述した実施の形態では、本発明の画像表示装置の製造方法を図１に示した画像表示装置に適用して説明したが、本発明の画像表示装置の製造方法及び本発明の画像表示装置の調整方法は、図３に示した画像表示装置にも同様に適用することが可能であり、またその他の構成の画像表示装置にも適用することが可能である。
複数の光源と、複数の光源からの光を合成する光合成機構と、光源と光合成機構との間の光学部品がある構成の画像表示装置であれば、同様に本発明方法を適用することが可能である。
例えば、Ｌ字型プリズム５の代わりに、複数枚のダイクロイックミラーにより色合成機構が構成された画像表示装置や、光変調素子３に対して三角プリズム２が設けられていない構成の画像表示装置であっても、本発明の製造方法や調整方法を適用することにより、光源から照明光を発生させて、１次元投影像を観察しながら、光変調素子の調整を行うことができる。
【００４９】
続いて、本発明の他の実施の形態として、本発明の画像表示装置の構成を、図３に示した画像表示装置４に適用した場合を説明する。
本実施の形態では、図３に示した画像表示装置４において、図３に示した三角プリズム２（２Ｒ１，２Ｒ２，２Ｇ，２Ｂ），３（３Ｒ１，３Ｒ２，３Ｇ，３Ｂ），Ｌ字型プリズム５の各部品を一体化してユニット化する。
【００５０】
具体的には、図８Ａに平面図を示すように、Ｌ字型プリズム５に、三角プリズム２（２Ｒ１，２Ｒ２，２Ｇ，２Ｂ）及び光変調素子３（３Ｒ１，３Ｒ２，３Ｇ，３Ｂ）を固定して、固着ユニット２０を構成している。また、固着ユニット２０を、図８Ａの矢印８Ｂ，８Ｃから見た図を、それぞれ図８Ｂ及び図８Ｃに示す。
【００５１】
この固着ユニット２０は、次のように構成されている。
三角プリズム２（２Ｒ１，２Ｒ２，２Ｇ，２Ｂ）は、その背面がそれぞれ板状の部材に取り付けられ、この板状の部材によりＬ字型プリズム５に固定されている。光変調素子３（３Ｒ１，３Ｒ２，３Ｇ，３Ｂ）は、それぞれＧＬＶが板に固定されて成り、この板の背面に固定部材２１が取り付けられている。この固定部材２１は、開口を有する薄い板材（プレート）に、光変調素子３を固定する厚い部材が固定されて成る。また、この固定部材２１に対向して、薄い板材（固着プレート）２２が設けられ、この板材２２は他の部材によりＬ字型プリズム５に固定されている。
固定部材２１及び板材２２は、それぞれ４箇所の端部に爪状の部分２１Ａ，２２Ａを有しており、これら互いの爪状の部分２１Ａ，２２Ａを固着することにより、２つの部材２１，２２を固定して、光変調素子３をＬ字型プリズム５に対して固定することができる。
【００５２】
次に、画像表示装置を製造する際の、この固着ユニット２０を組み立てる工程を説明する。
ここでは、図９Ａに示すように、４つの光変調素子３のうち、２つの光変調素子３Ｒ１，３Ｂを取り付けた後に、残りの２つの光変調素子３Ｒ２，３Ｇを取り付ける場合を例示して説明する。
２つの光変調素子３Ｒ２，３Ｇは、それぞれ固定部材２１に固定されている。図９Ａでは、光変調素子３Ｒ１，３Ｇの裏側を示しているが、光変調素子３Ｒ１，３Ｇの表側では図９Ｂに示すように、板にＧＬＶが取り付けられている。
２つの光変調素子３Ｒ２，３Ｇは、図９Ａ中の矢印で示すように、対応するそれぞれの三角プリズム２Ｒ２，２Ｇが配置されている側に取り付けられるものである。
そして、光変調素子３Ｒ２，３Ｇを固定している固定部材２１を、板材２２に対して、互いの爪状の部分２１Ａ，２２Ａを接触させることによって、取り付ける。
【００５３】
このとき、光変調素子３の位置を調整する治具、例えば図７Ａに示した位置調整装置１００を用いて、三角プリズム２Ｒ２，２Ｇに対する光変調素子３Ｒ２，３Ｇの位置を調整する。
より好ましくは、前述したように、光源から照明光（レーザ光）を発生させて、一次元投影像を観察しながら、光変調素子３Ｒ２，３Ｇの位置の調整を行う。
【００５４】
続いて、光変調素子３Ｒ２，３Ｇが正しい位置に調整された状態で、固定部材２１及び板材２２の爪状の部分２１Ａ，２２Ａを固着する。
また、これら固定部材２１及び板材２２の固着方法としては、例えば、接着剤（例えば紫外線硬化性接着剤）や半田を用いて固着することが考えられる。
【００５５】
このようにして、図１０に斜視図を示すように、固着ユニット２０を組み立てることができる。
【００５６】
上述の本実施の形態の画像表示装置の構成によれば、三角プリズム２、光変調素子３、Ｌ字プリズム５の各部品を一体化して固着ユニット２０を構成していることにより、画像表示装置外に設けられた、例えば図７Ａに示した治具（位置調整装置）１００等の手段を使って光変調素子３の位置を調整した後、調整済みの固着ユニット２０を画像表示装置に組み込むことによって、容易に光学部品の配置の構成及び画像表示装置の組み立てを行うことができる。
尚、画像表示装置を、固着ユニット２０を位置決めし固定する部材を備えた構成として、各部品２，３，５の相対位置の調整済みの固着ユニット２０を画像表示装置に組み込む際に、例えば、前述した光学像を観察することにより、固着ユニット２０の画像表示装置内の位置調整を行って、固着ユニット２０を位置決めして固定するようにしてもよい。
【００５７】
また、本実施の形態の画像表示装置の構成によれば、画像表示装置外に設けられた、例えば図７Ａに示した治具（位置調整装置）１００等の手段を使うことが可能であるため、画像表示装置上での調整を簡素化することができる。
【００５８】
尚、上述の各形態における光変調素子として、例えば前述したように、３本ずつの可動リボンと固定リボンが交互に配置されたＧＬＶ素子を１次元アレイ上に例えば１０８８個配置した構成とすることができる。
【００５９】
上述した画像表示装置の各形態では、３つ又は４つの光源及び光変調素子を備えていたが、本発明では、光源及び光変調素子が複数ある構成であれば、その数は限定されるものではなく、２つもしくは５つ以上の光源及び光変調素子を備えた構成としてもよい。
また、図８〜図１０に示した構成の固着ユニット２０に対して、さらにＬ字型プリズムを変更して、ミラーや入射面を増やすことにより、５つ以上の光源及び光変調素子に対して光を合成することが可能になる。
このように光源及び光変調素子の数を増やすことにより、例えば、各表示色に対してそれぞれ複数の光源を割り当てることも可能になる。
【００６０】
本発明は、上述の実施の形態に限定されるものではなく、本発明の要旨を逸脱しない範囲でその他様々な構成が取り得る。
【図面の簡単な説明】
【００６１】
【図１】本発明を適用する画像表示装置の一形態の概略構成図（斜視図）である。
【図２】図１の三角プリズムの断面構成を模式的に示す図である。
【図３】本発明を適用する画像表示装置の他の形態の概略構成図である。
【図４】図３のＬ字型プリズムの一形態の概略構成図である。
【図５】本発明の製造方法の一実施の形態として、図１の画像表示装置を製造する際の光変調素子の位置を調整する工程を説明する図である。
【図６】Ａ、Ｂ  三角プリズムと光変調素子との位置関係の調整による１次元投射像の変化を示す図である。
【図７】Ａ  光変調素子の位置調整を行う治具の一形態の斜視図である。  Ｂ  図７Ａの治具による位置調整の態様を模式的に示す図である。
【図８】Ａ〜Ｃ  本発明の他の実施の形態の画像表示装置の固着ユニットの構成を示す図である。
【図９】Ａ、Ｂ  図８の固着ユニットを組み立てる工程を説明する図である。
【図１０】図８の固着ユニットを組み立てた状態を示す斜視図である。
【図１１】光変調素子の一例の要部の概略構成図である。
【符号の説明】
【００６２】
１Ｒ，１Ｇ，１Ｂ  光源、２Ｒ，２Ｂ，２Ｇ  三角プリズム、３Ｒ，３Ｂ，３Ｇ  光変調素子、４  色合成機構、５  Ｌ字型プリズム、９  オフナー主鏡、１０  副鏡、１１  ミラー、１２  投射レンズ、１３  ガルバノ、１４  ガルバノミラー、１５，１７  ミラー、２０  固着ユニット
【図１】
2005173389.tif 000003
【図２】
2005173389.tif 000004
【図３】
2005173389.tif 000005
【図４】
2005173389.tif 000006
【図５】
2005173389.tif 000007
【図６】
2005173389.tif 000008
【図７】
2005173389.tif 000009
【図８】
2005173389.tif 000010
【図９】
2005173389.tif 000011
【図１０】
2005173389.tif 000012
【図１１】
2005173389.tif 000013